(57)【要約】【課題】  リセット期間を減らすと共に，安定したリセット動作が行えるリセット波形を形成できる，プラズマディスプレイパネルの駆動装置及び駆動方法を提供する。【解決手段】  リセット期間に，第１上昇傾斜を有して第１上昇電圧から第２上昇電圧まで増加するランプ波形の電圧を走査電極に印加する段階と，第１上昇傾斜より緩やかな第２上昇傾斜を有し，第２上昇電圧から第３上昇電圧まで増加するランプ波形の電圧を走査電極に印加する段階と，第１下降傾斜を有し，第１下降電圧から第２下降電圧まで減少するランプ波形の電圧を走査電極に印加する段階と，第１下降傾斜より緩やかな第２下降傾斜を有し，第２下降電圧から第３下降電圧まで減少するランプ波形の電圧を走査電極に印加する段階と，を含むことを特徴とするプラズマディスプレイパネルの駆動方法が提供される。【選択図】    図５
2010066780.tif 000002
【特許請求の範囲】
【請求項１】
互いに対になって配列された複数の走査電極及び維持電極と，前記走査電極及び維持電極と交差され，前記走査電極及び維持電極とは電気的に分離された複数のアドレス電極とを含むプラズマディスプレイパネルの駆動装置において；
第１供給電位に電気的に接続され，第１充電電圧に充電される第１キャパシタと，
第２供給電位に電気的に接続され，第２充電電圧に充電される第２キャパシタと，
前記第１キャパシタと電気的に接続され，第１傾斜を有して増加するランプ波形の電圧を前記走査電極に印加する第１上昇ランプスイッチング素子と，
前記第２キャパシタと電気的に接続され，第２傾斜を有して増加するランプ波形の電圧を前記走査電極に印加する第２上昇ランプスイッチング素子と，
第３傾斜を有して減少するランプ波形の電圧を前記走査電極に印加する第１下降ランプスイッチング素子と，
前記第１下降ランプスイッチング素子と共通電位との間に電気的に接続され，第４傾斜を有して減少するランプ波形の電圧を前記走査電極に印加する第２下降ランプスイッチング素子と，
を含むことを特徴とするプラズマディスプレイパネルの駆動装置。
【請求項２】
前記第１供給電位の電圧は，プラズマディスプレイパネルのセルの壁電荷を万遍なく再分布するのに十分な電圧から，維持放電電圧及び前記第２供給電位の電圧の合計を引いた値であることを特徴とする請求項１に記載のプラズマディスプレイパネルの駆動装置。
【請求項３】
前記第１充電電圧は，前記第１供給電位の電圧と前記共通電位の電圧との差に該当する電圧であり，前記第２充電電圧は，前記第２供給電位の電圧と前記共通電位の電圧との差に該当する電圧であることを特徴とする請求項１または２に記載のプラズマディスプレイパネルの駆動装置。
【請求項４】
前記共通電位の電圧は接地電圧であることを特徴とする請求項１，２または３のいずれかに記載のプラズマディスプレイパネルの駆動装置。
【請求項５】
前記第１上昇ランプスイッチング素子，前記第２上昇ランプスイッチング素子，前記第１下降ランプスイッチング素子，及び前記第２下降ランプスイッチング素子は，各々ボディダイオードを有するモストランジスタであり，ゲートとドレインとの間に，第１，第２，第３及び第４調整キャパシタが各々接続されたことを特徴とする請求項１，２，３または４のいずれかに記載のプラズマディスプレイパネルの駆動装置。
【請求項６】
前記第２傾斜は前記第１傾斜より緩やかで，前記第４傾斜は前記第３傾斜より緩やかであることを特徴とする請求項１，２，３，４または５のいずれかに記載のプラズマディスプレイパネルの駆動装置。
【請求項７】
対になって配列された複数の走査電極及び維持電極と，前記走査電極及び維持電極と交差し，前記走査電極及び維持電極と電気的に分離された複数のアドレス電極と，を有するプラズマディスプレイパネルの駆動方法において；
一端に第１充電電圧または第２充電電圧が印加され，他端が前記走査電極と電気的に接続される第１キャパシタを前記第１充電電圧にて充電し，一端に前記第１充電電圧または前記第２充電電圧が印加され，他端が前記走査電極と電気的に接続される第２キャパシタを前記第２充電電圧にて充電する段階と，
前記第１キャパシタを通じて，前記走査電極に定電流を供給し，第１傾斜を有するランプ波形を用いて前記走査電極の電圧を初期電圧から前記第１充電電圧ほど上昇させる段階と，
前記第１及び第２キャパシタを通じて，前記走査電極に定電流を供給し，第２傾斜を有するランプ波形を用いて前記走査電極の電圧を前記第２充電電圧ほどさらに上昇させ，最高電圧にする段階と，
前記走査電極に定電流を供給し，第３傾斜を有するランプ波形を用いて前記走査電極の電圧を下降電圧まで下降させる段階と，
前記走査電極に定電流を供給し，第４傾斜を有するランプ波形を用いて前記走査電極の電圧を共通電圧まで下降させる段階と，
を含むことを特徴とするプラズマディスプレイパネルの駆動方法。
【請求項８】
前記初期電圧は維持放電電圧であり，前記共通電圧は接地電圧であることを特徴とする請求項７に記載のプラズマディスプレイパネルの駆動方法。
【請求項９】
前記第２傾斜は前記第１傾斜より緩やかで，前記第４傾斜は前記第３傾斜より緩やかであることを特徴とする請求項７または８に記載のプラズマディスプレイパネルの駆動方法。
【請求項１０】
互いに対になって配列された複数の走査電極及び維持電極と，前記走査電極及び維持電極と交差され，前記走査電極及び維持電極とは電気的に分離された複数のアドレス電極とを含むプラズマディスプレイパネルの駆動装置において；
供給電位と共通電位との間に電気的に接続された場合に，第１供給電圧にて充電される維持回路キャパシタと，
第２供給電圧にて充電される第１キャパシタと，
第３供給電圧にて充電される第２キャパシタと，
設定電位と前記第２キャパシタとの間の経路に形成され，第１傾斜を有するランプ波形を用いて前記走査電極の電圧を増加させる第１上昇ランプスイッチング素子と，
前記第１上昇ランプスイッチング素子と前記第１キャパシタと前記第２キャパシタとの間の経路に形成され，第２傾斜を有するランプ波形を用いて前記走査電極の電圧を増加させる第２上昇ランプスイッチング素子と，
前記走査電極と前記維持回路キャパシタとの間の経路に形成され，第３傾斜を有するランプ波形を用いて前記走査電極の電圧を減少させる第１下降ランプスイッチング素子と，
前記共通電位と前記第１キャパシタとの間の経路に形成され，第４傾斜を有するランプ波形を用いて前記走査電極の電圧を減少させる第２下降ランプスイッチング素子と，
を含むことを特徴とするプラズマディスプレイパネルの駆動装置。
【請求項１１】
前記供給電位の電圧は維持放電電圧の半分の電圧であり，前記共通電位の電圧は接地電圧であることを特徴とする請求項１０に記載のプラズマディスプレイパネルの駆動装置。
【請求項１２】
前記第２傾斜は前記第１傾斜より緩やかで，前記第４傾斜は前記第３傾斜より緩やかなことを特徴とする請求項１０または１１に記載のプラズマディスプレイパネルの駆動装置。
【請求項１３】
対になって配列された複数の走査電極及び維持電極と，前記走査電極及び維持電極と交差し，前記走査電極及び維持電極と電気的に分離された複数のアドレス電極と，を有するプラズマディスプレイパネルの駆動方法において；
一端に供給電位の電圧または共通電圧が印加される維持回路キャパシタに前記供給電位の電圧と前記共通電圧との差に相当する第１供給電圧を充電し，第１キャパシタに第２供給電圧，及び第２キャパシタに第３供給電圧を充電する段階と，
前記第２キャパシタを通じて，前記共通電圧を前記走査電極に印加して，前記走査電極の電圧を第１リセット電圧とする段階と，
設定電圧と前記第２キャパシタを通じて前記走査電極に定電流を供給し，第１傾斜を有するランプ波形を用いて前記走査電極の電圧を第２リセット電圧まで増加させる段階と，
前記設定電圧と前記第１及び第２キャパシタとを通じて前記走査電極に定電流を供給し，第２傾斜を有するランプ波形を用いて前記走査電極の電圧を第３リセット電圧まで増加させる段階と，
前記維持回路キャパシタの一端を前記供給電位に接続し，前記第１キャパシタ及び維持回路キャパシタを通じて前記走査電極の電圧を第４リセット電圧とする段階と，
前記維持回路キャパシタの一端を前記供給電位に接続し，前記維持回路キャパシタを通じて前記走査電極に定電流を供給し，第３傾斜を有するランプ波形を用いて前記走査電極の電圧を前記第５リセット電圧まで減少させる段階と，
前記維持回路キャパシタの一端を前記共通電圧を有する電位に接続し，前記維持回路キャパシタを通じて前記走査電極に定電流を供給し，第４傾斜を有するランプ波形を用いて前記走査電極の電圧を第６リセット電圧まで減少させる段階と，
を含むことを特徴とするプラズマディスプレイパネルの駆動方法。
【請求項１４】
前記第２傾斜は前記第１傾斜より緩やかで，前記第４傾斜は前記第３傾斜より緩やかであることを特徴とする請求項１３に記載のプラズマディスプレイパネルの駆動方法。
【請求項１５】
前記供給電位の電圧は維持放電電圧の半分の電圧であり，前記共通電圧は接地電圧であることを特徴とする請求項１３または１４に記載のプラズマディスプレイパネルの駆動方法。
【請求項１６】
前記第１リセット電圧は前記共通電圧と前記供給電位の電圧との合計であり，前記第２リセット電圧は前記第３供給電圧と前記設定電圧との合計であり，前記第３リセット電圧は前記設定電圧と前記第２供給電圧と前記第３供給電圧との合計であり，前記第４リセット電圧は前記共通電圧と前記第２供給電圧との合計であり，前記第５リセット電圧は前記供給電位の電圧から前記第１供給電圧を引いた電圧であり，前記第６リセット電圧は前記共通電圧から前記第１供給電圧を引いた電圧であることを特徴とする請求項１３，１４または１５のいずれかに記載のプラズマディスプレイパネルの駆動方法。
【発明の詳細な説明】
【技術分野】
【０００１】
本発明はプラズマディスプレイパネル（Ｐｌａｓｍａ  Ｄｉｓｐｌａｙ  Ｐａｎｅｌ：ＰＤＰ）の駆動方法及び駆動装置に関する。
【背景技術】
【０００２】
最近，液晶表示装置（Ｌｉｑｕｉｄ  Ｃｒｙｓｔａｌ  Ｄｉｓｐｌａｙ：ＬＣＤ），電界放出表示装置（Ｆｉｅｌｄ  Ｅｍｉｓｓｉｏｎ  Ｄｉｓｐｌａｙ：ＦＥＤ），プラズマディスプレイパネルなどの平面表示装置が活発に開発されている。これらの平面表示装置のうち，プラズマディスプレイパネルは他の平面表示装置に比べて輝度及び発光効率が高くて視野角が広い長所がある。したがって，プラズマディスプレイパネルが４０インチ以上の大型表示装置において，従来の陰極線管（Ｃａｔｈｏｄｅ  Ｒａｙ  Ｔｕｂｕ：ＣＲＴ）に代わる表示装置として脚光を浴びている。
【０００３】
プラズマディスプレイパネルは，気体放電によって生成されたプラズマを利用して，文字または映像を表示する平面表示装置であって，その大きさによって数十から数百万個以上のピクセルがマトリックス状に配列されている。このようなプラズマディスプレイパネルは，印加される駆動電圧波形の形態と放電セルの構造によって直流形と交流形とに分けられる。
【０００４】
直流形プラズマディスプレイパネルは，電極が放電空間にそのまま露出されて電圧が印加される間に電流が放電空間にそのまま流れるようになり，電流制限のための抵抗を作らなければならない短所がある。反面，交流形プラズマディスプレイパネルにおいては，電極を誘電体層が覆っていて自然なキャパシタンス成分の形成によって電流が制限され，放電するときにはイオンの衝撃から電極が保護されるので直流形に比べて寿命が長いという長所がある。
【０００５】
図１は交流形プラズマディスプレイパネルの一部斜視図である。図１に示したように，ガラス基板１上には誘電体層２及び保護膜３に覆われた走査電極４と維持電極５とが対になって平行に形成され，ガラス基板６上には絶縁体層７にて覆われた複数のアドレス電極８が形成されている。アドレス電極８の間にある絶縁体層７上にはアドレス電極８と平行に隔壁９が形成されている。また，絶縁体層７の表面及び隔壁９の両側面に蛍光体１０が形成されている。ガラス基板１，６上の走査電極４とアドレス電極８，及び維持電極５とアドレス電極８が直交するように，放電空間１１を間において対向して配置されている。アドレス電極８と，対になる走査電極４と維持電極５との交差部にある放電空間とが放電セル１２を形成する。
【０００６】
図２はプラズマディスプレイパネルの電極配列図である。図２に示したように，プラズマディスプレイパネルの電極はｍ×ｎのマトリックス構造を有し，具体的には列方向にはアドレス電極Ａ１〜Ａｍが配列され，行方向にはｎ行の走査電極Ｙ１〜Ｙｎ及び維持電極（Ｘ１〜Ｘｎ）がジグザグに配列されている。図２に示した放電セル１２は図１に示した放電セル１２に対応する。
【０００７】
一般に交流形プラズマディスプレイパネルの駆動方法は，リセット（初期化）期間，記入放電（アドレッシング）期間，維持放電期間から構成される。
【０００８】
リセット期間は，セルにアドレッシング動作が円滑に行えるようにするために，各セルの状態を初期化する期間であり，記入放電期間は，パネル上の点灯セルと非点灯セルを選別して，点灯セル（アドレスされたセル）に壁電荷を積む動作を行う期間である。維持期間は，アドレスされたセルに実際に画像を表示するための放電を行う期間である。
【０００９】
プラズマディスプレイパネルの駆動波形の設計において，核心的な部分はリセット波形である。以下，従来の交流型プラズマディスプレイパネルのリセット波形とその駆動方法を説明する。
【００１０】
リセットの基本的な役割は，以前の放電によって形成された壁電荷を消去し，次のアドレス放電が円滑に行えるように壁電荷をセットアップすることにある。プラズマディスプレイパネルには数百万個のセルが存在し，これらのセルは全て少しずつ異なる放電電圧を有する。しかし，駆動するときには一つの決められた電圧を有して全てのセルの放電を調節しなければならないのが困難であった。したがって，リセット期間では壁電荷の消去と再びセットアップをしながら，セル間に存在する放電電圧の差を解消することが非常に重要である。リセット波形を細部に分ければ，以前の放電による壁電荷を消去する部分と，セル間の放電電圧のばらつきを解消して，記入放電が容易になるように壁電荷を再分布する部分とに分けることができる。
【００１１】
つまり，リセット期間は，次の記入期間の動作を容易にする目的で特定の形態の電圧を印加する期間であって，この期間の動作特性によって，セル間の均一度の低下したプラズマディスプレイパネルも安定した表示が可能になる。
【００１２】
セル間の均一度が落ちる表示装置を安定して動作させるために，現在，リセット期間で主に用いられる波形は，特許文献１で提示された図３に示す形態のランプ波形である。図３のような波形においては，ランプ波形７２，７４の傾斜が緩やかであるほど，セル間の均一度の低下した装置を安定して表示することができ，１５Ｖ／μＳ以下の傾斜が用いられる。もし，安定した動作のために２Ｖ／μＳ度の傾斜が用いられる場合には，電圧が４００Ｖであるときに２００μＳが２回，つまり，４００μＳ必要となって，あまりにも多くの時間が用いられる。そこで，この波形を改善した図４のような波形が提案された。
【００１３】
図４の波形においては，必要な電圧までランプ波形に変化させず，プラズマディスプレイパネルの放電セルで放電が起こらないだけの電圧は瞬間的に変化させ，その後，ランプ波形Ｐｒｒ，Ｐｆｒを印加する形態が用いられる。
【００１４】
【特許文献１】米国特許第５，７４５，０８６号明細書
【発明の概要】
【発明が解決しようとする課題】
【００１５】
しかし，この方法では瞬間的に変わる電圧があまり大きい場合，強い放電が起きて安定したリセット動作が行われない。したがって，この場合にもリセット期間のために非常に多くの時間が割当てられなければならない。
【００１６】
従来のプラズマディスプレイパネルの駆動装置は，維持放電波形回路とランプ波形形成回路とからなる。しかし，リセット期間の電圧は高くなければ安定した動作が行えず，リセットの際の電圧は，一般に維持放電期間の電圧より非常に高くなっている。したがって，高電圧にて駆動されるランプ波形形成回路と低電圧にて駆動される維持放電回路とを遮断するために，メイン経路のスイッチング素子が必要となり，このようなメイン経路のスイッチング素子の内圧は高くなければならない。
【００１７】
このように，従来のプラズマディスプレイパネルの駆動回路及び駆動方法によれば，リセット波形の傾斜を大きくするか，または瞬間的に変わる電圧を大きくする場合には，リセット動作を安定して行えず，反対に，リセット波形の傾斜を緩やかにすると，リセット期間が長くなって維持放電期間を長くすることができないため，輝度が低くなる問題点がある。
【００１８】
また，高電圧にて駆動されるランプ波形形成回路と低電圧にて駆動される維持放電波形回路とを遮断するスイッチは，内圧が高くなければならないが，内圧が高いほどスイッチの値段は高くなるため，値段上の問題点もあった。
【００１９】
本発明は，従来のプラズマディスプレイパネルの駆動装置及び駆動方法が有する上記問題点に鑑みてなされたものであり，本発明の目的は，リセット期間を減らすと共に，安定したリセット動作が行えるリセット波形を形成し，リセット回路と維持放電回路を遮断するスイッチの内圧を低くすることにより，スイッチのコストを低減できる，新規かつ改良されたプラズマディスプレイパネルの駆動装置及び駆動方法を提供することである。
【課題を解決するための手段】
【００２０】
上記課題を解決するために，本発明のある観点によれば，対になって配列された複数の走査電極及び維持電極と，走査電極及び維持電極と交差し，走査電極及び維持電極と電気的に分離された複数のアドレス電極と，を有するプラズマディスプレイパネルの駆動方法において；走査電極及び維持電極と，アドレス電極との交差部に形成されたセルを初期化するリセット期間に，第１上昇傾斜を有して第１上昇電圧から第２上昇電圧まで増加するランプ波形の電圧を走査電極に印加する第１段階と，第１上昇傾斜より緩やかな第２上昇傾斜を有し，第２上昇電圧から第３上昇電圧まで増加するランプ波形の電圧を走査電極に印加する第２段階と，を含むことを特徴とするプラズマディスプレイパネルの駆動方法が提供される。
【００２１】
さらに，より安定したリセット動作のために，第２上昇傾斜より緩やかな第３上昇傾斜を有して，第３上昇電圧から第４上昇電圧まで増加するランプ波形の電圧を，走査電極に印加する第３段階を含むことが望ましく，また，第１段階の前に，維持放電期間で形成された壁電荷を消去するため，ランプ波形の消去電圧を走査電極に印加する段階をさらに含むことが望ましい。
【００２２】
また本発明の別の観点によれば，リセット期間の電圧下降時に，第１下降傾斜を有し，第１下降電圧から第２下降電圧まで減少するランプ波形の電圧を走査電極に印加する第１段階と，第１下降傾斜より緩やかな第２下降傾斜を有し，第２下降電圧から第３下降電圧まで減少するランプ波形の電圧を走査電極に印加する第２段階と，を含むことを特徴とするプラズマディスプレイパネルの駆動方法が提供される。
【００２３】
さらに，より安定したリセット動作のために，第２下降傾斜より緩やかな第３下降傾斜を有し，第３下降電圧から第４下降電圧まで減少するランプ波形の電圧を走査電極に印加する第３段階を含むことが望ましい。
【００２４】
こうして，リセット期間において順次傾きか緩やかになるようなランプ波形にて走査電極を上昇させ，その後順次傾きか緩やかになるようなランプ波形にて走査電極を下降させることにより，リセット期間の最後の段階で壁電荷を均一にセットアップすることができ，安定したリセット動作を行うことができる。
【００２５】
また本発明の別の観点によれば，上記のプラズマディスプレイパネルの駆動方法を行うために，第１供給電位に電気的に接続され，第１充電電圧に充電される第１キャパシタと，第２供給電位に電気的に接続され，第２充電電圧に充電される第２キャパシタと，第１キャパシタと電気的に接続され，第１傾斜を有して増加するランプ波形の電圧を走査電極に印加する第１上昇ランプスイッチング素子と，第２キャパシタと電気的に接続され，第２傾斜を有して増加するランプ波形の電圧を走査電極に印加する第２上昇ランプスイッチング素子と，第３傾斜を有して減少するランプ波形の電圧を走査電極に印加する第１下降ランプスイッチング素子と，第１下降ランプスイッチング素子と共通電位との間に電気的に接続され，第４傾斜を有して減少するランプ波形の電圧を走査電極に印加する第２下降ランプスイッチング素子と，を含むことを特徴とするプラズマディスプレイパネルの駆動装置が提供される。
【００２６】
ここで，第１供給電位の電圧は，プラズマディスプレイパネルのセルの壁電荷を万遍なく再分布するのに十分な電圧から，維持放電電圧及び第２供給電位の電圧の合計を引いた値とすることができ，第１充電電圧は，第１供給電位の電圧と共通電位の電圧との差に該当する電圧であり，第２充電電圧は，第２供給電位の電圧と共通電位の電圧との差に該当する電圧であり，この共通電位の電圧は接地電圧であることとすることができる。
【００２７】
第１上昇ランプスイッチング素子，第２上昇ランプスイッチング素子，第１下降ランプスイッチング素子，及び第２下降ランプスイッチング素子は，各々逆方向に電流を流すことができるボディダイオードを有するモストランジスタであり，ゲートとドレインとの間に，第１，第２，第３及び第４調整キャパシタが各々接続されて，ドレイン電流を定電流にすることができる。
【００２８】
また，リセット動作を安定させるため，電圧上昇時の第２傾斜は第１傾斜より緩やかで，電圧下降時の第４傾斜は第３傾斜より緩やかであることが望ましい。
【００２９】
さらに，本発明の別の観点から，一端に第１充電電圧または第２充電電圧が印加され，他端が走査電極と電気的に接続される第１キャパシタを第１充電電圧にて充電し，一端に第１充電電圧または第２充電電圧が印加され，他端が走査電極と電気的に接続される第２キャパシタを第２充電電圧にて充電する段階と，第１キャパシタを通じて，走査電極に定電流を供給し，第１傾斜を有するランプ波形を用いて走査電極の電圧を初期電圧から第１充電電圧ほど上昇させる段階と，第１及び第２キャパシタを通じて，走査電極に定電流を供給し，第２傾斜を有するランプ波形を用いて走査電極の電圧を第２充電電圧ほどさらに上昇させ，最高電圧にする段階と，走査電極に定電流を供給し，第３傾斜を有するランプ波形を用いて走査電極の電圧を下降電圧まで下降させる段階と，走査電極に定電流を供給し，第４傾斜を有するランプ波形を用いて電極の電圧を共通電圧まで下降させる段階と，を含むことを特徴とするプラズマディスプレイパネルの駆動方法が提供される。
【００３０】
ここで，初期電圧は維持放電電圧であり，共通電圧は接地電圧であることが望ましい。また，リセット動作を安定させるため，第２傾斜は第１傾斜より緩やかで，前記第４傾斜は前記第３傾斜より緩やかであることが望ましい。
【００３１】
また，本発明の別の観点から，上記のプラズマディスプレイパネルの駆動方法を行うために，供給電位と共通電位との間に電気的に接続された場合に第１供給電圧にて充電される維持回路キャパシタと，第２供給電圧にて充電される第１キャパシタと，第３供給電圧にて充電される第２キャパシタと，設定電位と第２キャパシタとの間の経路に形成され，第１傾斜を有するランプ波形を用いて走査電極の電圧を増加させる第１上昇ランプスイッチング素子と，第１上昇ランプスイッチング素子と第１キャパシタと第２キャパシタとの間の経路に形成され，第２傾斜を有するランプ波形を用いて走査電極の電圧を増加させる第２上昇ランプスイッチング素子と，走査電極と維持回路キャパシタとの間の経路に形成され，第３傾斜を有するランプ波形を用いて走査電極の電圧を減少させる第１下降ランプスイッチング素子と，共通電位と第１キャパシタとの間の経路に形成され，第４傾斜を有するランプ波形を用いて走査電極の電圧を減少させる第２下降ランプスイッチング素子と，を含むことを特徴とするプラズマディスプレイパネルの駆動装置が提供され，先の構成よりもスイッチング素子を１個減らすことができる。
【００３２】
ここで，供給電位の電圧は維持放電電圧の半分の電圧であり，共通電位の電圧は接地電圧であることが望ましく，リセット動作を安定させるために第２傾斜は第１傾斜より緩やかで，第４傾斜は第３傾斜より緩やかであることが望ましい。
【００３３】
また，さらに本発明の別の観点から，一端に供給電位の電圧または共通電圧が印加される維持回路キャパシタに供給電位の電圧と共通電圧との差に相当する第１供給電圧を充電し，第１キャパシタに第２供給電圧，及び第２キャパシタに第３供給電圧を充電する段階と，第２キャパシタを通じて，共通電圧を走査電極に印加して，走査電極の電圧を第１リセット電圧とする段階と，設定電圧と第２キャパシタを通じて走査電極に定電流を供給し，第１傾斜を有するランプ波形を用いて走査電極の電圧を第２リセット電圧まで増加させる段階と，設定電圧と第１及び第２キャパシタとを通じて走査電極に定電流を供給し，第２傾斜を有するランプ波形を用いて走査電極の電圧を第３リセット電圧まで増加させる段階と，維持回路キャパシタの一端を供給電位に接続し，第１キャパシタ及び維持回路キャパシタを通じて走査電極の電圧を第４リセット電圧とする段階と，維持回路キャパシタの一端を供給電位に接続し，維持回路キャパシタを通じて走査電極に定電流を供給し，第３傾斜を有するランプ波形を用いて走査電極の電圧を第５リセット電圧まで減少させる段階と，維持回路キャパシタの一端を共通電圧を有する電位に接続し，第１キャパシタを通じて走査電極に定電流を供給し，第４傾斜を有するランプ波形を用いて走査電極の電圧を第６リセット電圧まで減少させる段階と，を含むことを特徴とするプラズマディスプレイパネルの駆動方法が提供される。
【００３４】
ここで，リセット動作を安定させるため，第２傾斜は第１傾斜より緩やかで，第４傾斜は第３傾斜より緩やかであることが望ましく，第１供給電圧は維持放電電圧の半分の電圧であり，共通電圧は接地電圧であることが望ましい。
【００３５】
第１リセット電圧は共通電圧と供給電位の電圧との合計であり，第２リセット電圧は第３供給電圧と設定電圧との合計であり，第３リセット電圧は設定電圧と第２供給電圧と第３供給電圧との合計であり，第４リセット電圧は共通電圧と第２供給電圧との合計であり，第５リセット電圧は供給電位の電圧から第１供給電圧を引いた電圧であり，第６リセット電圧は共通電圧から第１供給電圧を引いた電圧とすることができる。
【００３６】
このような駆動方法によれば，スイッチング素子の内圧を従来の半分の値にすることができるため，低耐圧のコストの安いスイッチング素子を用いることができ，プラズマディスプレイパネルの原価を低減させることができる。
【発明の効果】
【００３７】
以上説明したように，本発明によれば，プラズマディスプレイパネルの駆動波形において，リセット期間を短縮すると共に，安定したリセット動作が可能なリセット波形を形成することができ，また，リセット回路と維持放電回路とを遮断するスイッチの内圧を低くして，プラズマディスプレイパネルのコストを低減することができる。
【図面の簡単な説明】
【００３８】
【図１】交流形プラズマディスプレイパネルの一部の概略斜視図である。
【図２】プラズマディスプレイパネルの電極配列図を示す説明図である。
【図３】従来のプラズマディスプレイパネルの駆動波形を示す説明図である。
【図４】従来のプラズマディスプレイパネルの駆動波形を示す説明図である。
【図５】第１の実施の形態によるプラズマディスプレイパネルの駆動波形を示す説明図である。
【図６】第２の実施の形態によるプラズマディスプレイパネルの駆動波形を示す説明図である。
【図７】第３の実施の形態によるプラズマディスプレイパネルの駆動波形を示す説明図である。
【図８】実施例１によるプラズマディスプレイパネルを示す説明図である。
【図９】実施例１によるプラズマディスプレイパネル駆動回路の走査維持駆動部を示す説明図である。
【図１０】実施例１によるプラズマディスプレイパネル駆動回路のモード１の電流経路とリセット波形を示す説明図である。
【図１１】実施例１によるプラズマディスプレイパネル駆動回路のモード２の電流経路とリセット波形を示す説明図である。
【図１２】実施例１によるプラズマディスプレイパネル駆動回路のモード３の電流経路とリセット波形を示す説明図である。
【図１３】実施例１によるプラズマディスプレイパネル駆動回路のモード４の電流経路とリセット波形を示す説明図である。
【図１４】実施例１によるプラズマディスプレイパネル駆動回路のモード５の電流経路とリセット波形を示す説明図である。
【図１５】実施例２によるプラズマディスプレイパネル駆動回路の走査維持駆動部を示す説明図である。
【図１６】実施例３によるプラズマディスプレイパネル駆動回路の走査維持駆動部を示す説明図である。
【図１７】実施例３によるプラズマディスプレイパネル駆動回路のモード１の電流経路とリセット波形を示す説明図である。
【図１８】実施例３によるプラズマディスプレイパネル駆動回路のモード２の電流経路とリセット波形を示す説明図である。
【図１９】実施例３によるプラズマディスプレイパネル駆動回路のモード３の電流経路とリセット波形を示す説明図である。
【図２０】実施例３によるプラズマディスプレイパネル駆動回路のモード４の電流経路とリセット波形を示す説明図である。
【図２１】実施例３によるプラズマディスプレイパネル駆動回路のモード５の電流経路とリセット波形を示す説明図である。
【図２２】実施例３によるプラズマディスプレイパネル駆動回路のモード６の電流経路とリセット波形を示す説明図である。
【発明を実施するための形態】
【００３９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４０】
（第１の実施の形態）
図５は第１の実施の形態によるプラズマディスプレイパネルの駆動波形を示す図面である。図５において，リセット期間の最初に維持電極Ｘに印加されるランプ波形Ｐｅは，維持放電期間で形成された壁電荷を消すための波形であり，徐々に増加するランプ波形Ｐｅによって弱放電が起こって壁電荷が消される。
【００４１】
ランプ波形Ｐｅを印加して壁電荷を消した後，走査電極Ｙに第１の上昇傾斜を有するランプ波形Ｐｒｒ１により第１上昇電圧から第２上昇電圧に，第２の上昇傾斜を有するランプ波形Ｐｒｒ２により第２上昇電圧から第３上昇電圧に電圧を印加し，その後第１の下降傾斜を有するランプ波形Ｐｆｒ１により第１下降電圧から第２下降電圧に，第２の下降傾斜を有するランプ波形Ｐｆｒ２により第２下降電圧から第３下降電圧に順次印加する。徐々に増加するランプ波形Ｐｒｒ１，Ｐｒｒ２によって弱放電が起こり，走査電極Ｙには負の壁電荷が積まれ，アドレス電極と維持電極Ｘとには正の壁電荷が均一に積まれる。
【００４２】
ランプ波形Ｐｒｒ２まで印加された際に，各セルの電極に均一な壁電荷が形成されるためには，ランプ波形Ｐｒｒ１，Ｐｒｒ２期間で放電が安定して起こらなければならず，そのためにはランプ波形の傾斜が緩やかでなければならない。特に，最終の状態を決定するパルスＰｒｒ２の傾斜が緩やかでなければならない。ランプ波形Ｐｒｒ１期間においては相対的に均一な壁電荷が形成されなくても，ランプ波形Ｐｒｒ２期間においてだけ均一な壁電荷が形成されればいいので，ランプ波形Ｐｒｒ１の傾斜はランプ波形Ｐｒｒ２の傾斜に比べて急でもいい。
【００４３】
ランプ波形Ｐｒｒ２の後，アドレス電極には正の電荷を維持しながら，走査電極Ｙと維持電極Ｘとの間の壁電荷を同一にするため，徐々に減少する形態のランプ波形Ｐｆｒ１，Ｐｆｒ２を走査電極Ｙに印加する。
【００４４】
ランプ波形Ｐｆｒ２の以降から接続される記入放電期間において，記入放電がうまく起こってこそプラズマディスプレイパネルが安定して動作し，記入放電が安定して起こるためには，リセット期間の最後で壁電荷が均一に積まれていなければならない。つまり，ランプ波形Ｐｆｒ２の後に壁電荷が均一に積まれていなければならず，そのためにはランプ波形Ｐｆｒ２の傾斜が緩やかでなければならない。したがって，ランプ波形Ｐｆｒ１期間においては相対的に均一ではなく壁電荷が形成されていても，ランプ波形Ｐｆｒ２の期間においてだけ壁電荷が均一に積まれればいいので，ランプ波形Ｐｆｒ１の傾斜は急でも，全体の動作は安定する。
【００４５】
このように本実施の形態によるプラズマディスプレイパネルの駆動波形によれば，図４に示したランプ波形Ｐｒｒ，Ｐｆｒが，それぞれ２つのランプ波形Ｐｒｒ１，Ｐｒｒ２及びランプ波形Ｐｆｒ１，Ｐｆｒ２からなる。このとき，ランプ波形Ｐｒｒ１，Ｐｆｒ１の傾斜は急にし，ランプ波形Ｐｒｒ２，Ｐｆｒ２の傾斜を緩やかにしてもいいので，従来のリセット波形のような水準の安定した放電をすると共に，リセット時間を減らして，全体的に輝度を増加させることができる。
【００４６】
しかし，図５に示したように，最後の維持放電の後に走査電極Ｙの電圧が維持放電電圧から接地電圧に変わるので，アドレス電極と走査電極Ｙとの間に放電が発生することがあり，これによって放電が不安定になり得る。
【００４７】
アドレス電極と走査電極Ｙとの間の放電問題は，維持電極Ｘの消去波形として細幅消去を用いることによって解決することもできるが，図６に示した波形を用いることによって解決できる。
【００４８】
（第２の実施の形態）
以下，第２の実施の形態によるプラズマディスプレイパネルの駆動方法について図６を参照して説明する。図６は本実施の形態によるプラズマディスプレイパネルの駆動波形である。図６に示したように，リセット期間の前の部分で走査電極Ｙに電圧が減る形態のランプ波形Ｐｅを印加し，維持電極Ｘには正の電圧を印加することを除いては，第１の実施の形態の駆動波形と同一である。
【００４９】
このように本実施の形態においては，ランプ波形Ｐｅを維持電極Ｘに印加せず，走査電極Ｙにランプ波形の消去電圧を印加することによって，アドレス電極と走査電極Ｙとの間に放電を起こさないようにし，第１の実施の形態よりも安定した放電を行うことができる。
【００５０】
（第３の実施の形態）
次に，第３の実施の形態によるプラズマディスプレイパネルの駆動方法について図７の駆動波形を参照して説明する。リセット期間で増加するランプ波形期間においてＰｒｒ１，Ｐｒｒ２に加え，さらに第３の上昇傾斜を有するランプ波形Ｐｒｒ３により第３上昇電圧から第４上昇電圧を印加し，減少するランプ波形期間においてＰｆｒ１，Ｐｆｒ２に加え，さらに第３の下降傾斜を有するランプ波形Ｐｆｒ３により第３下降電圧から第４下降電圧を印加しており，それぞれの傾斜が３個という点を除いては第１の実施の形態による駆動波形と同一である。
【００５１】
増加するランプパルスＰｒｒ１，Ｐｒｒ２，Ｐｒｒ３の傾斜は順次に緩やかにし，減少するランプパルスＰｆｒ１，Ｐｆｒ２，Ｐｆｒ３の傾斜も順次に緩やかにする。こうしてリセット期間の最後の段階で壁電荷を均一に積むことにより，安定したリセット動作ができる。
【００５２】
以上，第１〜第３の実施の形態を説明したが，本発明によるプラズマディスプレイパネルの駆動方法は前述した第１〜第３の実施の形態に限られるものではない。例えば，リセット期間の間に走査電極に１つの傾斜で増加するランプ波形電圧を印加し，２種類以上の傾斜で減少するランプ波形電圧を印加することもできるし，２種類以上の傾斜で増加するランプ波形電圧を印加し，１つの傾斜で減少するランプ波形電圧を印加することもできる。
【００５３】
（実施例１）
次に，第１〜第３の実施の形態を実現するためのプラズマディスプレイパネルの駆動装置について，図面を参考として詳細に説明する。図８はプラズマディスプレイパネルを示す図面であり，プラズマパネル１００，アドレス駆動部２００，走査維持駆動部３００及び制御部４００を含む。
【００５４】
プラズマパネル１００は，列方向に配列されている複数のアドレス電極Ａ１〜Ａｍと，行方向に配列されている複数の走査電極Ｙ１〜Ｙｎ，及び複数の維持電極Ｘ１〜Ｘｎを含む。
【００５５】
アドレス駆動部２００は，制御部４００からアドレス駆動制御信号を受信して，表示しようとする放電セルを選択するためのアドレス電圧を各アドレス電極に印加する。
【００５６】
走査維持駆動部３００は，制御部４００から維持放電信号を受信して走査電極と維持電極とに維持放電電圧を交互に入力することによって，選択された放電セルに対して維持放電を行う。このような走査維持駆動部３００は，無効電力を回収して再使用する回路である電力回収回路を含む。
【００５７】
制御部４００は，外部から映像信号を受信してアドレス駆動制御信号と維持放電信号とを生成し，それぞれアドレス駆動部２００と走査維持駆動部３００に印加する。
【００５８】
図９は走査維持駆動部３００を示した図面である。図９のように，走査維持駆動部３００は，走査電極駆動回路３２０と維持電極駆動回路３４０とからなる。走査電極駆動回路３２０と維持電極駆動回路３４０は同一の構造になっているので，以下，走査電極駆動回路３２０に限って説明する。
【００５９】
走査電極駆動回路３２０は，維持放電波形回路３２２とランプ波形形成回路３２４とからなる。維持放電波形回路３２２は，走査電極の電圧を維持放電電圧Ｖｓまたは接地電圧に維持する役割を果たす。
【００６０】
ランプ波形形成回路３２４は，第１及び第２上昇ランプスイッチング素子Ｙｒｒ，Ｙｓｃと，第１及び第２下降ランプスイッチング素子Ｙｓｐ，Ｙｆｒと，メイン経路スイッチング素子Ｙｐと，第１キャパシタであるＣｒｒ，第２キャパシタであるＣｓｃと，スイッチング素子ＳＣ_Ｈ，ＳＣ_Ｌと，ダイオードＤ１，Ｄ２とを含む。
【００６１】
第１上昇ランプスイッチング素子Ｙｒｒの一端は，ダイオードＤ１を通じて第１供給電位であるＶｓｅｔ−Ｖｓｃと接続され，他端は，スイッチング素子ＳＣ_Ｌを通じてプラズマディスプレイパネルの走査電極Ｙに接続される。
【００６２】
第２上昇ランプスイッチング素子Ｙｓｃの一端は，スイッチング素子ＳＣ_Ｈを通じて走査電極Ｙに接続され，他端は，ダイオードＤ２を通じて第２供給電位であるＶｓｃに接続される。
【００６３】
第１下降ランプスイッチング素子Ｙｓｐの一端は第２上昇ランプスイッチング素子Ｙｓｃと接続され，他端はスイッチング素子ＳＣ_Ｌを通じて走査電極Ｙに接続される。
【００６４】
第２下降ランプスイッチング素子Ｙｆｒの一端は，メイン経路スイッチング素子Ｙｐとスイッチング素子ＳＣ_Ｌとを通じて走査電極Ｙに接続され，他端は，共通電位である接地電圧Ｖｇに接続される。
【００６５】
また，図９に示したスイッチング素子はＭＯＳＦＥＴからなり，それぞれボディーダイオード（図示せず）を有する。ボディダイオードを通じて電流経路を設定することができる。
【００６６】
第１及び第２上昇ランプスイッチング素子Ｙｒｒ，Ｙｓｃと第１及び第２下降ランプスイッチング素子Ｙｓｐ，Ｙｆｒとは，それぞれゲートとドレインとの間に第１調整キャパシタであるＣ１，第２調整キャパシタであるＣ２，第３調整キャパシタであるＣ３，第４調整キャパシタであるＣ４を接続する。そうすると，ミラー効果（Ｍｉｌｌｅｒ  Ｅｆｆｅｃｔ）によってゲートとソースとの間の電圧Ｖｇｓが一定に維持される。したがって，下記に示される数１の式において定数であるＫとＶｔは一定なので，ドレインには定電流ｉが流れるようになる。
【００６７】
【数１】
2010066780.tif 000003
【００６８】
定電流が流れれば，次の数２の式のように電極間に形成される容量性成分であるパネルキャパシタＣｐの影響によって，パネルキャパシタＣｐの両端に傾斜ｉ／Ｃｐを有するランプ波形の電圧が印加される。
【００６９】
【数２】
2010066780.tif 000004
【００７０】
したがって，電流ｉが小さいほど傾斜は緩やかになる。電流ｉが小さくなるためには，数１の式からわかるように，電圧Ｖｇｓが小さくなければならず，このような電圧Ｖｇｓの大きさは，ゲートとドレインとの間に接続されたキャパシタＣ１，Ｃ２，Ｃ３，Ｃ４のキャパシタンス値にて調節することができる。本実施例によるリセット波形は，後のランプ波形であるほどさらに緩やかな傾斜を有しなければならないので，キャパシタＣ１，Ｃ２，Ｃ３，Ｃ４のキャパシタンス値を調節して，後のランプ波形がさらに緩やかな傾斜を有するようにする。
【００７１】
一方，メイン経路スイッチング素子Ｙｐは，第１上昇ランプスイッチング素子Ｙｒｒを通じて電圧Ｖｓｅｔ−Ｖｓｃと接続され，他端は維持放電回路と接続される。したがって，メイン経路スイッチング素子Ｙｐは，高電圧にて駆動されるリセット回路と低電圧にて駆動される維持放電回路とを遮断する役割を果たす。ここで，メイン経路スイッチング素子Ｙｐにかかる内圧は，電圧Ｖｓｅｔ−Ｖｓｃになることが分かる。また，メイン経路スイッチング素子Ｙｐはボディダイオードを有する。
【００７２】
キャパシタＣｒｒは，第２下降ランプスイッチング素子Ｙｆｒを通じて電圧Ｖｓｅｔ−Ｖｓｃと電圧Ｖｇとの間に接続され，キャパシタＣｓｃは，メイン経路スイッチング素子Ｙｐと第２下降ランプスイッチング素子Ｙｆｒとを通じて電圧Ｖｓｃと電圧Ｖｇとの間に接続されている。
【００７３】
図１０〜図１４は実施例１による各モードの電流経路とそれによるリセット波形を示す図面である。
【００７４】
モード１が始まる前にキャパシタＣｒｒの両端には，Ｖｓｅｔ−ＶｓｃとＶｇとの差電圧である第１充電電圧Ｖｓｅｔ−Ｖｓｃが充電されており，キャパシタＣｓｃの両端にはＶｓｃとＶｇとの差電圧である第２充電電圧Ｖｓｃが充電されている。そして，維持放電波形回路で走査電極Ｙが維持放電電圧Ｖｓに電気的に接続されて，走査電極Ｙの電圧を初期電圧であるＶｓまで瞬間的に上げるようになる。
【００７５】
モード１（図１０参照）においては，第１上昇ランプスイッチング素子Ｙｒｒとスイッチング素子ＳＣ_Ｌとをオンさせる。そうすると，キャパシタＣｒｒ−第１上昇ランプスイッチング素子Ｙｒｒ−スイッチング素子ＳＣ_Ｌと電流経路が形成される。キャパシタＣｒｒと第１上昇ランプスイッチング素子Ｙｒｒとの間の接点の電圧は，キャパシタＣｒｒには電圧Ｖｓｅｔ−Ｖｓｃが充電されており，キャパシタ他端の電圧が維持放電電圧Ｖｓまで瞬間的に上がるため，電圧Ｖｓ＋Ｖｓｅｔ−Ｖｓｃまで上がるようになる。
【００７６】
しかし，第１上昇ランプスイッチング素子Ｙｒｒは，ゲートとドレインとの間にキャパシタが接続されて，ゲートとソースとの間の電圧差が一定になるので，定電流が流れるようになり，パネルキャパシタＣｐの影響によって走査電極Ｙの電圧は第１傾斜を有したランプ波形に上がる。
【００７７】
モード２（図１１参照）においては，第２上昇ランプスイッチング素子Ｙｓｃとスイッチング素子ＳＣ_Ｈとをオンさせる。そうすると，キャパシタＣｒｒ−第１上昇ランプスイッチング素子Ｙｒｒ−キャパシタＣｓｃ−第２上昇ランプスイッチング素子Ｙｓｃ−スイッチング素子ＳＣ_Ｈと電流経路が形成される。
【００７８】
また，キャパシタＣｓｃには初期に電圧Ｖｓｃが充電されていたので，キャパシタＣｓｃと第１上昇ランプスイッチング素子Ｙｒｒとの接点の電圧がＶｓｅｔ−Ｖｓｃ＋Ｖｓに上がることによって，キャパシタＣｓｃの他端の電圧は，電圧Ｖｓｅｔ−Ｖｓｃ＋Ｖｓに電圧Ｖｓｃが合わせられた電圧Ｖｓｅｔ＋Ｖｓになる。
【００７９】
そして，第２上昇ランプスイッチング素子Ｙｓｃは，ゲートとドレインとの間にキャパシタが接続されて，ゲートとソースとの間の電圧差が一定になるので，定電流が流れるようになる。そうすると，パネルキャパシタＣｐの影響によって走査電極Ｙの電圧は第２傾斜を有して最高電圧である電圧Ｖｓｅｔ＋Ｖｓまでランプ波形に上がるようになる。本実施の形態によると，第２上昇ランプスイッチング素子Ｙｓｃのドレイン，ソース間の電流を，第１上昇ランプスイッチング素子Ｙｒｒのドレイン，ソース間の電流より少なく設定し，これによってランプ波形の傾斜はモード１においての傾斜より緩やかに設定される。
【００８０】
モード３（図１２参照）においては，メイン経路スイッチング素子Ｙｐをオンさせて，維持放電波形回路で維持放電電圧と接続されたスイッチング素子をオンさせる。そして，第２上昇ランプスイッチング素子Ｙｓｃはオフさせる。そうすると，スイッチング素子ＳＣ_Ｈ−第２上昇ランプスイッチング素子Ｙｓｃのボディダイオード−キャパシタＣｓｃ−メイン経路スイッチング素子Ｙｐと電流経路が形成される。
【００８１】
キャパシタＣｓｃとメイン経路スイッチング素子Ｙｐとの接点が，電圧が接地電圧に瞬間的に下降することによって，キャパシタＣｓｃの他端の電圧はＶｓｃに瞬間的に下降する。したがって，走査電極Ｙの電圧もスイッチング素子ＳＣ_Ｈがオンされているので，Ｖｓｃに瞬間的に下降する。
【００８２】
モード４（図１３参照）においては，第２上昇ランプスイッチング素子Ｙｓｃがオフされ，第１下降ランプスイッチング素子Ｙｓｐがオンの状態になる。そして，維持放電波形回路では接地電圧と接続されたスイッチング素子をオンさせるようになる。そうすると，スイッチング素子ＳＣ_Ｈ−第１下降ランプスイッチング素子Ｙｓｐ−メイン経路スイッチング素子Ｙｐと電流経路が形成される。
【００８３】
第１下降ランプスイッチング素子Ｙｓｐは，ゲートとドレインとの間にキャパシタが接続され，ゲートとソースとの間の電圧差が一定になるので，定電流が流れるようになる。したがって，パネルキャパシタＣｐの影響によって走査電極Ｙの電圧は第３傾斜を有してランプ波形に下降電圧まで下降する。
【００８４】
モード５（図１４参照）においては，第２下降ランプスイッチング素子Ｙｆｒをオンさせる。そうすると，スイッチング素子ＳＣ_Ｈ−第１下降ランプスイッチング素子Ｙｓｐ−メイン経路スイッチング素子Ｙｐ−第２下降ランプスイッチング素子Ｙｆｒと電流経路が形成される。
【００８５】
第２下降ランプスイッチング素子Ｙｆｒは，ゲートとドレインとの間にキャパシタが接続され，ゲートとソースとの間の電圧が一定になるので，定電流が流れるようになる。したがって，パネルキャパシタＣｐの影響によって走査電極Ｙの電圧は第４傾斜を有してランプ波形に共通電圧である接地電圧まで下降する。この際のランプ波形の傾斜は，モード４においてのランプ波形の傾斜より緩やかに設定される。
【００８６】
このように，実施例１によるプラズマディスプレイパネルの駆動方法においては，リセット期間の走査電極に印加される電圧波形の傾斜を２種類以上にして，既存のリセット期間に与えられた時間よりさらに短時間で同等な水準のリセット動作を行うことができるので，記入放電動作や維持放電期間にさらに多くの時間を割当てることによって，電圧動作の領域や輝度を増加させることができる。
【００８７】
また，高電圧にて駆動されるリセット回路部と，低電圧にて駆動される維持放電回路部との間を遮断するメイン経路スイッチング素子の内圧について調べると，既存の駆動回路の場合には，メイン経路スイッチング素子の内圧はＶｓｅｔ以上でなければならないが，本実施の形態のプラズマディスプレイパネルの駆動装置においては図９のように，メイン経路スイッチング素子Ｙｐの内圧はＶｓｅｔ−Ｖｓｃ以上ならよい。
【００８８】
（実施例２）
以下，実施例２について図１５を参照して説明する。図１５は走査維持駆動部３００を示す図面である。走査維持駆動部３００が実施例１の走査維持駆動部３００と異なる点は，ランプ波形形成回路３２６が，図９においてのランプ波形形成回路３２４に含まれたメイン経路スイッチング素子Ｙｐと，第２下降ランプスイッチング素子Ｙｆｒの機能を合せて，図１５のようにメイン経路スイッチング素子Ｙｐ＆Ｙｆｒを有していることである。つまり，図９において，第２下降ランプスイッチング素子Ｙｆｒを除去し，メイン経路スイッチング素子Ｙｐのゲートとドレインとの間にキャパシタを接続したものが，図１１のスイッチング素子Ｙｐ＆Ｙｆｒになる。
【００８９】
実施例２による各段階の電流経路とそれに伴うリセット波形は，実施例１から容易に理解できるので，説明を省略する。このように本実施例によれば，スイッチング素子を１個減らすことができ，コストを低減する効果が得られる。
【００９０】
（実施例３）
以下，実施例３について図１６，及び図１７〜図２２を参照して説明する。図１６は，走査維持駆動部３００を示す図面であり，走査電極駆動回路３６０と維持電極駆動回路３８０とからなるが，その構造は同一であるので，走査電極駆動回路３６０に限って説明する。
【００９１】
図１６のように，実施例３による走査電極駆動回路３６０は，維持放電波形回路３６２とランプ波形形成回路３６４とからなる。維持放電波形回路３６２は，スイッチング素子Ｙｓ，Ｙｇ，Ｙｈ，Ｙｌ，Ｙｒ，Ｙｆと，ダイオードＤ０，Ｄ１，Ｄ２と，インダクタＬ１及び維持回路キャパシタＣｓｔとからなる。
【００９２】
スイッチング素子Ｙｓ，Ｙｇは供給電位の電圧である供給電圧Ｖｓ／２と共通電位の電圧である共通電圧となる接地電圧との間に直列に接続され，キャパシタＣｓｔはダイオードＤ０を通じてスイッチング素子Ｙｓ，Ｙｇの接点と接地電圧との間に接続されている。キャパシタＣｓｔの両端にはそれぞれスイッチング素子Ｙｈ，Ｙｌが接続され，スイッチング素子Ｙｈ，Ｙｌの接点にはインダクタＬ１が接続される。インダクタＬ１と接地電圧との間にはスイッチング素子Ｙｒ，ＹｆがそれぞれダイオードＤ１，Ｄ２を通じて並列に接続される。ダイオードＤ１，Ｄ２は充放電電流の経路を設定する役割を果たす。
【００９３】
キャパシタＣｓｔには供給電圧と共通電圧の差電圧である第１供給電圧Ｖｓ／２が充電され，インダクタＬ１とパネルキャパシタＣｐとの直列共振によって，走査電極の電圧をＶｓ／２まで上昇または，−Ｖｓ／２まで下降させる。スイッチング素子Ｙｓ，Ｙｇはそれぞれ走査電極の電圧をＶｓ／２または−Ｖｓ／２に維持させる役割を果たす。
【００９４】
また，ダイオードＤ０は，キャパシタＣｓｔと接地電圧とが接続される点の電圧が，接地電圧より低い場合には，接地電圧との接続を絶つスイッチ機能をする。ランプ波形形成回路３６４は，第１及び第２上昇ランプスイッチング素子Ｙｒｒ１，Ｙｒｒ２と，第１及び第２下降ランプスイッチング素子Ｙｆｒ１，Ｙｆｒ２，スイッチング素子ＳＣ_Ｈ，ＳＣ_Ｌと，ダイオードＤ３，Ｄ４，Ｄ５，Ｄ６及び第１キャパシタＣｒｒ，第２キャパシタＣｓｃからなる。
【００９５】
設定電位の電圧である設定電圧Ｖｓｅｔと接地電圧との間に，第１上昇ランプスイッチング素子Ｙｒｒ１と第２下降ランプスイッチング素子Ｙｆｒ２とが直列接続されている。接地電圧と接続される第２上昇ランプスイッチング素子Ｙｒｒ２は，スイッチング素子ＳＣ_Ｌを通じて走査電極Ｙに接続される。スイッチング素子ＳＣ_Ｌを通じて走査電極Ｙに接続される第１下降ランプスイッチング素子Ｙｆｒ１は，スイッチング素子Ｙｈ，Ｙｌの接点に接続されて，維持放電波形回路３６２にリセット波形を形成するに当たって要求される高電圧が印加されることを防止する役割を果たす。
【００９６】
一方，第１及び第２上昇ランプスイッチング素子Ｙｒｒ１，Ｙｒｒ２と，第１及び第２下降ランプスイッチング素子Ｙｆｒ１，Ｙｆｒ２とは，ＭＯＳＦＥＴからなり，ボディダイオードを有している。
【００９７】
そして，第１及び第２上昇ランプスイッチング素子Ｙｒｒ１，Ｙｒｒ２と第１及び第２下降ランプスイッチング素子Ｙｆｒ１，Ｙｆｒ２とには，ゲートとドレインとの間にキャパシタＣ１，Ｃ２，Ｃ３，Ｃ４がそれぞれ接続され，数１式から分かるようにゲートとソースとの間の電圧差が一定になるので，走査電極に定電流を供給することができる。
【００９８】
また，数２式から分かるように，パネルキャパシタＣｐの影響によって傾斜ｉ／Ｃｐを有するランプ波形の電圧が形成される。したがって，電流ｉが小さいほど傾斜は緩やかになる。電流ｉが小さくなるためには，数式１のように電圧Ｖｇｓが小さくなければならず，このような電圧Ｖｇｓの大きさはゲートとドレインと間に接続されたキャパシタＣ１，Ｃ２，Ｃ３，Ｃ４のキャパシタンス値にて調節することができる。本実施の形態によるリセット波形は，後のランプ波形であるほどさらに緩やかな傾斜を有しなければならず，キャパシタＣ１，Ｃ２，Ｃ３，Ｃ４のキャパシタンス値を調節して，後のランプ波形がさらに緩やかな傾斜を有するようにする。
【００９９】
スイッチング素子Ｙｈ，Ｙｌの接点と接地電圧との間にはキャパシタＣｒｒが接続され，スイッチング素子Ｙｇとスイッチング素子Ｙｌとの間にはキャパシタＣｓｔが接続され，スイッチング素子ＳＣ_Ｈと第１下降ランプスイッチング素子Ｙｆｒ１との間にはキャパシタＣｓｃが接続される。
【０１００】
一方，ダイオードＤ３は，第１上昇ランプスイッチング素子Ｙｒｒ１とＶｓｅｔとの接続点の電圧がＶｓｅｔより高まることを防ぐ役割を果たす。ダイオードＤ４は，キャパシタＣｒｒと接地電圧との接続点の電圧が接地電圧より高いときは，接地電圧との接続を絶つスイッチ機能を行い，同様にダイオードＤ５，Ｄ６もキャパシタＣｓｃと接地電圧との接続点の電圧が接地電圧より高いときに接続を絶つ役割を果たす。
【０１０１】
以下，図１７〜図２２を参照して実施例３によるプラズマディスプレイパネルの駆動方法を説明する。図１７〜図２２は，本実施例による各モードの電流経路とそれによる波形を示す図面である。
【０１０２】
実施例３においては，モード１が始まる前にスイッチング素子Ｙｇ，Ｙｌ，ＳＣ_Ｌがオンの状態にあって，走査電極Ｙには電圧−Ｖｓ／２が印加されている。これはキャパシタＣｓｔの両端に第１供給電圧である電圧Ｖｓ／２が充電されているからである。そしてキャパシタＣｓｔとスイッチング素子Ｙｇとが接続された点の電圧が接地電圧であるので，キャパシタＣｓｔの他端の電圧は−Ｖｓ／２となり，スイッチング素子Ｙｌがオンされているので，キャパシタＣｒｒの一側端子には電圧−Ｖｓ／２が印加され，他側端子は接地電圧であるので，キャパシタＣｒｒには第２供給電圧である電圧Ｖｓ／２が充電される。そして，キャパシタＣｓｃも両端の間に電圧−Ｖｓ／２が印加されるので，第３供給電圧である電圧Ｖｓ／２が充電される。
【０１０３】
モード１（図１７参照）においては，スイッチング素子Ｙｌ，ＳＣ_Ｌがオフされ，スイッチング素子Ｙｈ，ＳＣ_Ｈがオンになる。したがって，スイッチング素子Ｙｇ−スイッチング素子Ｙｈ−第１下降ランプスイッチング素子Ｙｆｒ１のボディダイオード−キャパシタＣｓｃ−スイッチング素子ＳＣ_Ｈと電流経路が形成される。
【０１０４】
キャパシタＣｓｃには電圧Ｖｓ／２が充電されていたので，キャパシタＣｓｃの一端に接地電圧が印加されることによって，走査電極側の端は充電された電圧Ｖｓ／２が加えられ，走査電極Ｙの電圧に第１リセット電圧である電圧Ｖｓ／２が印加されるようになる。
【０１０５】
モード２（図１８参照）においては，スイッチング素子Ｙｇをオフさせ，第１上昇ランプスイッチング素子Ｙｒｒ１をオンさせる。そうすると，第１上昇ランプスイッチング素子Ｙｒｒ１−スイッチング素子Ｙｈ−第１下降ランプスイッチング素子Ｙｆｒ１のボディダイオード−キャパシタＣｓｃ−スイッチング素子ＳＣ_Ｈと電流経路が形成される。
【０１０６】
第１上昇ランプスイッチング素子Ｙｒｒ１のゲートとドレインとの間にはキャパシタが接続されて，ゲートとソースとの間の電圧差は一定である。したがって，パネルキャパシタＣｐの影響によって走査電極Ｙの電圧はランプ波形に上昇するが，キャパシタＣｓｃに電圧Ｖｓ／２が充電されていたので，走査電極Ｙの電圧は第２リセット電圧である電圧Ｖｓｅｔ＋Ｖｓ／２まで第１傾斜を有してランプ波形に上昇する。
【０１０７】
モード３（図１９参照）においては，第２上昇ランプスイッチング素子Ｙｒｒ２をオンさせる。そうすると，第１上昇ランプスイッチング素子Ｙｒｒ１−スイッチング素子Ｙｈ−キャパシタＣｒｒ−第２上昇ランプスイッチング素子Ｙｒｒ２−キャパシタＣｓｃ−スイッチング素子ＳＣ_Ｈと電流経路が形成される。
【０１０８】
第２上昇ランプスイッチング素子Ｙｒｒ２とキャパシタＣｒｒとの接続点の電圧はＶｓｅｔ＋Ｖｓ／２になる。これはキャパシタＣｒｒの両端には電圧Ｖｓ／２が充電されており，キャパシタＣｒｒとスイッチング素子Ｙｈ，Ｙｌとの接点の接続点の電圧がＶｓｅｔに上昇することによって，キャパシタＣｒｒの他端の電圧はＶｓｅｔ＋Ｖｓ／２に上昇するからである。
【０１０９】
また，第２上昇ランプスイッチング素子Ｙｒｒ２は，ゲートとドレインとの間にキャパシタが接続されて，ゲートとソースとの間の電圧差が一定である。したがって，走査電極Ｙに定電流を供給することができて，パネルキャパシタＣｐの影響によって走査電極Ｙの電圧はランプ波形に上昇する。ところが，キャパシタＣｓｃには電圧Ｖｓ／２が充電されていたので，走査電極Ｙの電圧は第３リセット電圧である電圧Ｖｓｅｔ＋Ｖｓ／２＋Ｖｓ／２まで第２傾斜を有してランプ波形に上昇する。このとき，ランプ波形の傾斜はモード２においてのランプ波形の傾斜より緩やかに設定される。
【０１１０】
モード４（図２０参照）においては，スイッチング素子Ｙｓ，Ｙｌ，ＳＣ_Ｌをオンさせ，第１及び第２上昇ランプスイッチング素子Ｙｒｒ１，Ｙｒｒ２をオフさせる。そうすると，スイッチング素子ＳＣ_Ｌ−第２上昇ランプスイッチング素子Ｙｒｒ２のボディダイオード−キャパシタＣｒｒ−スイッチング素子ＹＬ−キャパシタＣｓｔ−スイッチング素子ＹＳと電流経路が形成される。
【０１１１】
スイッチング素子Ｙｓは電圧Ｖｓ／２と接続されるが，この場合，キャパシタＣｓｔには電圧Ｖｓ／２が充電され，キャパシタ両端に充電された電圧は瞬間的に変わらないので，キャパシタＣｓｔとスイッチング素子Ｙｌとの接点の電圧はゼロになり，キャパシタＣｒｒの両端には電圧Ｖｓ／２が充電されていたので，つまり，走査電極Ｙの電圧は第４リセット電圧であるＶｓ／２になる。
【０１１２】
モード５（図２１参照）においては，第１下降ランプスイッチング素子Ｙｆｒ１をオンさせる。そうすると，スイッチング素子ＳＣ_Ｌ−第１下降ランプスイッチング素子Ｙｆｒ１−スイッチング素子Ｙｌ−キャパシタＣｓｔ−スイッチング素子Ｙｓと電流経路が形成される。
【０１１３】
電圧Ｖｓ／２と接続されたスイッチング素子Ｙｓがオンの状態にあるので，キャパシタＣｓｔとスイッチング素子Ｙｓとの接続の電圧はＶｓ／２になり，キャパシタＣｓｔに電圧Ｖｓ／２が充電されているので，キャパシタＣｓｔの他端の電圧は接地電圧になる。したがって，走査電極Ｙの電圧は接地電圧まで下降する。
【０１１４】
しかし，第１下降ランプスイッチング素子Ｙｆｒ１は，ゲートとドレインとの間にキャパシタが接続されて，ゲートとソースと間の電圧差が一定になるので，定電流が流れるようになり，パネルキャパシタＣｐの影響によって走査電極Ｙの電圧が第５リセット電圧である接地電圧まで第３傾斜を有してランプ波形に下降する。
【０１１５】
モード６（図２２参照）においては，スイッチング素子Ｙｆｒ２をオンさせ，スイッチング素子Ｙｓをオフさせる。そうすると，スイッチング素子ＳＣ_Ｌ−第１下降ランプスイッチング素子Ｙｆｒ１−スイッチング素子Ｙｌ−キャパシタＣｓｔ−第２下降ランプスイッチング素子Ｙｆｒ２と電流経路が形成される。
【０１１６】
接地電圧と接続されたスイッチング素子Ｙｆｒ２がオンの状態になることによって，キャパシタＣｓｔとスイッチング素子Ｙｆｒ２との接点の電圧は接地電圧となる。そして，キャパシタＣｓｔには電圧Ｖｓ／２が充電され，キャパシタの両端に充電された電圧は瞬間的に変われないので，キャパシタＣｓｔの他端の電圧は−Ｖｓ／２となる。つまり，走査電極Ｙの電圧は−Ｖｓ／２まで下降する。
【０１１７】
ところが，第２下降ランプスイッチング素子Ｙｆｒ２は，ゲートとドレインとの間にキャパシタが接続されて，ゲートとソースとの間の電圧差が一定になるので，定電流が流れるようになり，パネルキャパシタＣｐの影響によって走査電極Ｙの電圧が第６リセット電圧である−Ｖｓ／２まで第４傾斜を有してランプ波形に下降する。このとき，ランプ波形の傾斜はモード５においてのランプ波形の傾斜より緩やかに設定される。
【０１１８】
このように本実施例によれば，スイッチング素子Ｙｓ，Ｙｇ，Ｙｈ，Ｙｌ，Ｙｒ，Ｙｆの内圧が，ＶｓからＶｓ／２に低くなるため，コストの安いスイッチング素子を用いることができ，プラズマディスプレイパネルの値段を低減できる効果が得られる。
【０１１９】
以上，添付図面を参照しながら本実施形態にかかるプラズマディスプレイパネルの駆動装置及び駆動方法の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０１２０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１２１】
本発明はプラズマディスプレイパネルに適用可能であり，特にプラズマディスプレイパネルの駆動時のリセット期間を減らすと共に，安定したリセット動作が行えるプラズマディスプレイパネルに適用可能である。
【符号の説明】
【０１２２】
１００      プラズマパネル
２００      アドレス駆動部
３００      走査維持駆動部
３２０      走査電極駆動回路
３２２      維持放電波形回路
３２４      ランプ波形形成回路
３４０      維持電極駆動回路
４００      制御部
【図１】
2010066780.tif 000005
【図２】
2010066780.tif 000006
【図３】
2010066780.tif 000007
【図４】
2010066780.tif 000008
【図５】
2010066780.tif 000009
【図６】
2010066780.tif 000010
【図７】
2010066780.tif 000011
【図８】
2010066780.tif 000012
【図９】
2010066780.tif 000013
【図１０】
2010066780.tif 000014
【図１１】
2010066780.tif 000015
【図１２】
2010066780.tif 000016
【図１３】
2010066780.tif 000017
【図１４】
2010066780.tif 000018
【図１５】
2010066780.tif 000019
【図１６】
2010066780.tif 000020
【図１７】
2010066780.tif 000021
【図１８】
2010066780.tif 000022
【図１９】
2010066780.tif 000023
【図２０】
2010066780.tif 000024
【図２１】
2010066780.tif 000025
【図２２】
2010066780.tif 000026